(57)【特許請求の範囲】
【請求項１】
電線群を挿通したコルゲートチューブを該電線群の所定位置に位置決め固定する為のコルゲートチューブ用クリップであって、
前記コルゲートチューブの端部外周面を嵌合挟持するチューブ固定部と、チューブ端部より露出する前記電線群の電線を一列に並列させ屈曲させた状態で蛇行状に挟持する電線保持部とが、相互にヒンジを介して開閉自在に連結されたクリップ本体と蓋体とで一体形成されると共に、これらクリップ本体と蓋体の開閉端には相互を閉じたロック状態に係止可能なロック手段を有することを特徴とするコルゲートチューブ用クリップ。
【請求項２】
前記チューブ固定部が、前記コルゲートチューブの外周面に連続形成された突条部と突条部の間に嵌合するべく、前記クリップ本体及び前記蓋体の少なくとも一方の内壁面に突設された嵌合突起から成り、
前記電線保持部が、前記電線群を屈曲させた状態で蛇行状に挟持するべく、前記クリップ本体及び前記蓋体の各内壁面に前記電線群の長手方向に沿って互い違いに突設された複数の電線保持用リブから成ることを特徴とする請求項１に記載のコルゲートチューブ用クリップ。
【請求項３】
前記チューブ固定部に嵌合挟持された前記コルゲートチューブの端部外周面との干渉を避けるための開口が、前記クリップ本体及び前記蓋体に設けられており、閉じたロック状態のクリップ本体及び蓋体の高さ寸法が、前記コルゲートチューブの外径と略等しく形成されることを特徴とする請求項１又は２に記載のコルゲートチューブ用クリップ。
【発明の詳細な説明】
【０００１】
【発明の属する技術分野】
本発明は、ワイヤハーネス等の電線群を挿通し保護するコルゲートチューブの端部に装着して、該コルゲートチューブを電線群上の所定位置に位置決め固定する為のコルゲートチューブ用クリップに関する。
【０００２】
【従来の技術】
一般に、電子機器の送配電線や自動車のワイヤハーネス等の電線群の集束や保護の為に使用されるコルゲートチューブは、合成樹脂製のチューブの外周に螺旋状又は環状の突条部を連続形成し、蛇腹状に形成することで可撓性を付与したものである。
そして、例えば図１１に示したように、コルゲートチューブ３０は、電線群であるワイヤハーネスＷ／Ｈを所定領域にわたって保護する為に、長手方向に延在して形成されたスリット３１を押し広げて該ワイヤハーネスＷ／Ｈに外装されると共に、その端部にワイヤハーネスＷ／Ｈと共に粘着テープＴが巻き付けられることにより、所定位置に位置決め固定される。
【０００３】
また、実開昭６２−１４５４２６号公報には、「コルゲートチューブの端末係止具」が開示されている。このコルゲートチューブの端末係止具４０は、図１２に示したように、相互にヒンジ４２により連結された２つの半割部材４４が、自由端部に装備した係止部４６を相互に係合させることによってコルゲートチューブ３０の外周に纏着可能に設けられている。
【０００４】
そして、前記端末係止具４０は、コルゲートチューブ３０に纏着されると、半割部材４４の内壁から突出してコルゲートチューブ３０の谷環部（突条部３３と突条部３３の間に形成される円環状の溝）３２に嵌合する突起条４８と、前記突起条４８から所定間隔だけ離れた外方位置で内方に突出し、ワイヤハーネスＷ／Ｈに係合或いは、干渉し合う複数個の回転防止突起５０とを備えている。
このような端末係止具４０が纏着されることによって、前記コルゲートチューブ３０のスリット３１の口開きと、該コルゲートチューブ３０のハーネス周りの回転とを防止することができた。
【０００５】
【発明が解決しようとする課題】
しかしながら、図１１に示したように、テープ巻きしてコルゲートチューブ３０を所定位置に位置決め固定する場合には、テープ巻きを人手で行なっているため、手間と労力を要するといった問題があった。更に、ワイヤハーネスＷ／Ｈの外径寸法が、例えばコルゲートチューブ３０の内径に対して隙間を有する程に細い場合には、粘着テープＴを適当な径になるまで巻き付けた後、コルゲートチューブ３０を取り付けなければならないため、更に手間がかかると同時に、使用テープ量が増大して製作コストを高騰させた。
【０００６】
また、図１２に示したコルゲートチューブの端末係止具４０では、既述したように、コルゲートチューブ３０のスリット３１の口開きと、該コルゲートチューブ３０のハーネス周りの回転とを防止することはできるものの、ハーネス上でのコルゲートチューブ３０の軸線方向への移動を阻止する位置決め手段としては充分なものではなかった。
そのため、ワイヤハーネスＷ／Ｈの配索作業において、例えば他部品との接触を防止するために外装されるべきコルゲートチューブ３０が、所定位置から位置ズレを起こして、所期の機能を発揮できない可能性があった。
【０００７】
従って、本発明の目的は上記課題を解消することに係り、簡単な操作でコルゲートチューブを電線群上の所定位置に位置決め固定できると共に、いずれの太さの電線群にも適用できる安価なコルゲートチューブ用クリップを提供することである。
【０００８】
【課題を解決するための手段】
本発明の上記目的は、電線群を挿通したコルゲートチューブを該電線群の所定位置に位置決め固定する為のコルゲートチューブ用クリップであって、
前記コルゲートチューブの端部外周面を嵌合挟持するチューブ固定部と、チューブ端部より露出する前記電線群の電線を一列に並列させ屈曲させた状態で蛇行状に挟持する電線保持部とが、相互にヒンジを介して開閉自在に連結されたクリップ本体と蓋体とで一体形成されると共に、これらクリップ本体と蓋体の開閉端には相互を閉じたロック状態に係止可能なロック手段を有することを特徴とするコルゲートチューブ用クリップにより達成される。
【０００９】
上記構成によれば、電線群の電線を屈曲させた状態で蛇行状に挟持する電線保持部と、コルゲートチューブを嵌合挟持するチューブ固定部とが、相互にヒンジを介して開閉自在に連結されたクリップ本体と蓋体とで一体形成されているので、それぞれ電線及びコルゲートチューブを挟持した状態でこれらクリップ本体と蓋体の開閉端を閉じたロック状態とする簡単な操作だけで、電線群を挿通させたコルゲートチューブを電線群上の所定位置に位置決め固定できる。また、前記電線保持部は、前記電線群の電線を一列に並列させ屈曲させた状態で蛇行状に挟持するので、電線本数に関わらず電線群に対して確実に挟持固定することができる。
【００１０】
尚、好ましくは前記チューブ固定部が、前記コルゲートチューブの外周面に連続形成された突条部と突条部の間に嵌合するべく、前記クリップ本体及び前記蓋体の少なくとも一方の内壁面に突設された嵌合突起から成り、
前記電線保持部が、前記電線群を屈曲させた状態で蛇行状に挟持するべく、前記クリップ本体及び前記蓋体の各内壁面に前記電線群の長手方向に沿って互い違いに突設された複数の電線保持用リブから成る。
【００１１】
この場合、前記クリップ本体及び前記蓋体の少なくとも一方の内壁面に突設された嵌合突起が、前記コルゲートチューブの外周面に連続形成された突条部と突条部の間に嵌合することよって、軸線方向に沿って位置ズレを生じることなくコルゲートチューブを強固に嵌合挟持できると共に、前記クリップ本体及び前記蓋体の各内壁面に突設された複数の電線保持用リブが、前記電線群を屈曲させた状態で蛇行状に確実に挟持するので、簡単な構造でありながらコルゲートチューブを電線群上の所定位置に確実に位置決め固定できる。
【００１２】
又、好ましくは前記チューブ固定部に嵌合挟持された前記コルゲートチューブの端部外周面との干渉を避けるための開口が、前記クリップ本体及び前記蓋体に設けられており、閉じたロック状態のクリップ本体及び蓋体の高さ寸法が、前記コルゲートチューブの外径と略等しく形成される。
【００１３】
この場合、コルゲートチューブ用クリップの高さ寸法が、前記クリップ本体及び前記蓋体の各内壁の厚み分だけ低くでき、該クリップの小型化が可能となる。また、前記開口から、前記チューブ固定部に嵌合挟持された前記コルゲートチューブの端部外周面の位置を目視確認できるので、該コルゲートチューブの端部をチューブ固定部の所定位置に確実に固定できる。
【００１４】
【発明の実施の形態】
以下、添付図面に基づいて本発明の一実施形態に係るコルゲートチューブ用クリップを詳細に説明する。
図１乃至図４は本発明の第１実施形態に係るコルゲートチューブ用クリップの使用状態を説明する為の斜視図及び縦断面図である。
【００１５】
本第１実施形態のコルゲートチューブ用クリップ１は、図１に示したように、合成樹脂材料により一体形成され、電線群であるワイヤハーネスＷ／Ｈを挿通したコルゲートチューブ３０の端部外周面に装着することにより、該コルゲートチューブ３０を前記ワイヤハーネスＷ／Ｈ上の所定位置に位置決め固定するものである。
【００１６】
なお、前記コルゲートチューブ３０は、合成樹脂製のチューブの外周に螺旋状又は環状の突条部３３を連続形成し、蛇腹状に形成することで可撓性を付与したものであり、長手方向に延在して形成されたスリット３１を押し広げてワイヤハーネスＷ／Ｈに外装できるようになっている。
【００１７】
そして、前記コルゲートチューブ用クリップ１は、前記コルゲートチューブ３０の端部外周面を嵌合挟持するチューブ固定部６と、チューブ端部より露出する前記ワイヤハーネスＷ／Ｈの電線１５を一列に並列させた状態で屈曲挟持する電線保持部９とが、相互にヒンジ１２を介して開閉自在に連結されたクリップ本体３と蓋体２とで合成樹脂材料より一体形成されている。
【００１８】
前記チューブ固定部６は、前記コルゲートチューブ３０の外周面に連続形成された突条部３３と突条部３３の間の谷環部３２に嵌合するべく、箱形状に形成された前記クリップ本体３の一方の側部内壁に突設された嵌合突起である円弧状の嵌合リブ５と、矩形平板状に形成された前記蓋体２の一方の側部内壁に突設された嵌合突起である一対の嵌合リブ４とから成る（図４、参照）。尚、本実施形態においては、クリップ本体３及び蓋体２の両内壁に嵌合突起を突設したが、該嵌合突起は少なくとも一方の内壁面に突設するだけでも十分な機能を果たすことはできる。
【００１９】
前記電線保持部９は、図４に示したように、前記ワイヤハーネスＷ／Ｈを屈曲させた状態で蛇行状に挟持するべく、前記クリップ本体３及び前記蓋体２の各内壁面に前記ワイヤハーネスＷ／Ｈの長手方向に沿って互い違いに突設された複数の電線保持用リブ７，８から成る。
即ち、前記クリップ本体３の他方の側部内壁（底壁）に突設された一対の電線保持用リブ８，８は、挟持固定される前記ワイヤハーネスＷ／Ｈの長手方向に沿って形成されており、このためクリップ本体３はワイヤハーネスＷ／Ｈの長手方向に沿って凹形の縦断面形状を有するようになっている（図４、参照）。
【００２０】
又、前記蓋体２の他方の側部内壁（天壁）には、前記電線保持用リブ８，８と上下方向に互い違いとなる位置に前記電線保持用リブ７が突設されており、このため蓋体２はワイヤハーネスＷ／Ｈの長手方向に沿って凸形の縦断面形状を有するようになっている（図４、参照）。
そこで、記クリップ本体３と前記蓋体２の対向面に設けられた前記電線保持部９は、図４に示したように、ワイヤハーネスＷ／Ｈの長手方向に沿って上下方向から互い違いに突出した電線保持用リブ７，８，８が、前記ワイヤハーネスＷ／Ｈを適当に屈曲させた状態で蛇行状に挟持することで、弱い挟圧状態であっても十分な保持力を得ることができる。
【００２１】
更に、これらクリップ本体３と蓋体２の開閉端には、これらクリップ本体３及び蓋体２相互を閉じたロック状態に係止可能なロック手段である係止突起１０とロック片１１を有する。前記クリップ本体３の開閉端側の前壁に突設された前記係止突起１０は、図３に示したように、前記蓋体２の開閉端縁に垂設された前記ロック片１１の係合孔１１ａに係合されることにより、クリップ本体３と蓋体２を閉じたロック状態に係止することができる。
【００２２】
次に、図２乃至図４を参照して、本第１実施形態のコルゲートチューブ用クリップ１の取付手順及び作用について説明する。
先ず、コルゲートチューブ用クリップ１は、図２に示したように、蓋体２を開いた状態にして、ワイヤハーネスＷ／Ｈを挿通したコルゲートチューブ３０の端部をクリップ本体３の一方の側部上に載置する。
【００２３】
この際、前記クリップ本体３の嵌合リブ５が、コルゲートチューブ３０の図中下面側の谷環部３２に嵌合する。また、コルゲートチューブ３０のチューブ端部より露出する前記ワイヤハーネスＷ／Ｈの電線１５が、一列に水平に並列させられた状態で前記電線保持用リブ８，８上に配置される。
【００２４】
そして、一対の前記嵌合リブ４がコルゲートチューブ３０の図中上面側の谷環部３２に嵌合すると共に、前記電線保持用リブ７が一列に並列させられた状態のワイヤハーネスＷ／Ｈの電線１５を上方から押圧するようにして、前記蓋体２を被せた後、図３に示したように、前記係止突起１０に前記ロック片１１の係合孔１１ａを係合させてクリップ本体３と蓋体２を閉じたロック状態に係止する。
【００２５】
これにより、前記クリップ本体３及び前記蓋体２の両内壁にそれぞれ突設された嵌合リブ４，５から成るチューブ固定部６が、図４に示したように、前記コルゲートチューブ３０の外周面に連続形成された突条部３３と突条部３３の間の谷環部３２に嵌合することよって、軸線方向に沿って位置ズレを生じることなくコルゲートチューブ３０を強固に嵌合挟持できる。
また、前記クリップ本体３及び前記蓋体２の各内壁面に突設された複数の電線保持用リブ７，８から成る電線保持部９が、図４に示したように、前記ワイヤハーネスＷ／Ｈを上下に屈曲させた状態で蛇行状に確実に挟持できる。
【００２６】
即ち、前記コルゲートチューブ用クリップ１が、前記チューブ固定部６によりコルゲートチューブ３０に対して位置決め固定されると共に、前記電線保持部９によりワイヤハーネスＷ／Ｈに対して位置決め固定されることにより、該コルゲートチューブ３０がワイヤハーネスＷ／Ｈ上の所定位置に確実に位置決め固定される。
【００２７】
そこで、本第１実施形態のコルゲートチューブ用クリップ１によれば、ワイヤハーネスＷ／Ｈの電線１５を屈曲挟持する電線保持部９と、コルゲートチューブ３０を嵌合挟持するチューブ固定部６とが、相互にヒンジ１２を介して開閉自在に連結されたクリップ本体３と蓋体２とで一体形成されており、それぞれ電線１５及びコルゲートチューブ３０を挟持した状態でこれらクリップ本体３と蓋体２の開閉端を閉じたロック状態とする簡単な操作だけで、ワイヤハーネスＷ／Ｈを挿通させたコルゲートチューブ３０をワイヤハーネスＷ／Ｈ上の所定位置に位置決め固定できる。
従って、人手でテープ巻きしてコルゲートチューブ３０を所定位置に位置決め固定する場合のような手間と労力を要しない。
【００２８】
また、前記コルゲートチューブ用クリップ１は、前記電線保持部９が前記ワイヤハーネスＷ／Ｈの電線１５を一列に並列させた状態で屈曲挟持するので、電線本数に関わらずワイヤハーネスＷ／Ｈに対して確実に挟持固定することができる。
【００２９】
即ち、前記ワイヤハーネスＷ／Ｈの電線本数が少なく、該ワイヤハーネスＷ／Ｈの外径寸法が前記コルゲートチューブ３０の内径に対して隙間を有する程に細い場合にも、前記電線保持部９はチューブ端部より露出する前記電線１５を確実に挟持できる。
従って、前記コルゲートチューブ用クリップ１は、ワイヤハーネスＷ／Ｈの外径寸法が異なる場合にも、外装するコルゲートチューブ３０の外径が同じであれば共用することができ、高い汎用性を有する。
【００３０】
図５は本発明の第２実施形態に係るコルゲートチューブ用クリップの斜視図、図６は図５に示したコルゲートチューブ用クリップの使用状態を説明する為の縦断面図である。
本第２実施形態のコルゲートチューブ用クリップ２１は、図５に示したように、コルゲートチューブ３０の端部外周面を嵌合挟持するチューブ固定部６と、チューブ端部より露出するワイヤハーネスＷ／Ｈの電線１５を一列に並列させた状態で屈曲挟持する電線保持部２９とが、相互にヒンジ１２を介して開閉自在に連結されたクリップ本体２３と蓋体２２とで合成樹脂材料より一体形成されている。尚、上記第１実施形態のコルゲートチューブ用クリップ１と同様の構成部分については、同符号を付して詳細な説明を省略する。
【００３１】
前記電線保持部２９は、図６に示したように、前記ワイヤハーネスＷ／Ｈを屈曲させた状態で蛇行状に挟持するべく、前記クリップ本体２３及び前記蓋体２２の各内壁面に前記ワイヤハーネスＷ／Ｈの長手方向に沿って互い違いに突設された複数の電線保持用リブ２７，２８から成る。
即ち、前記クリップ本体２３の他方の側部内壁（側壁）に突設された一対の電線保持用リブ２８，２８は、挟持固定される前記ワイヤハーネスＷ／Ｈの長手方向に沿って形成されており、このためクリップ本体２３はワイヤハーネスＷ／Ｈの長手方向に沿って凹形の水平断面形状を有するようになっている。
【００３２】
又、前記蓋体２２の他方の側部内壁（天壁）には、前記電線保持用リブ２８，２８と水平方向に互い違いとなる位置に前記電線保持用リブ２７が突設されており、このため蓋体２２はワイヤハーネスＷ／Ｈの長手方向に沿って凸形の縦断面形状を有するようになっている。
【００３３】
次に、本第２実施形態のコルゲートチューブ用クリップ２１の取付手順及び作用について説明する。
先ず、コルゲートチューブ用クリップ２１は、蓋体２２を開いた状態にして、ワイヤハーネスＷ／Ｈを挿通したコルゲートチューブ３０の端部をクリップ本体２３の一方の側部上に載置する。
【００３４】
この際、前記クリップ本体２３の嵌合リブ５が、コルゲートチューブ３０の図中下面側の谷環部３２に嵌合する。また、コルゲートチューブ３０のチューブ端部より露出する前記ワイヤハーネスＷ／Ｈの電線１５が、一列に垂直に並列させられた状態で前記電線保持用リブ２８，２８に沿って上下方向に配置される。
【００３５】
そして、一対の前記嵌合リブ４がコルゲートチューブ３０の図中上面側の谷環部３２に嵌合すると共に、前記電線保持用リブ２７が一列に垂直に並列させられた状態のワイヤハーネスＷ／Ｈの各電線１５を順次、側方から押圧するようにして、前記蓋体２２を被せた後、クリップ本体２３と蓋体２２を閉じたロック状態に係止する。
【００３６】
これにより、前記チューブ固定部６が、前記コルゲートチューブ３０の谷環部３２に嵌合すると共に、前記クリップ本体２３及び前記蓋体２２の各内壁面に突設された複数の電線保持用リブ２７，２８から成る電線保持部２９が、図６に示したように、前記ワイヤハーネスＷ／Ｈを水平に屈曲させた状態で蛇行状に確実に挟持できる。
【００３７】
そこで、前記クリップ本体２３と前記蓋体２２の対向面に設けられた前記電線保持部２９は、図６に示したように、ワイヤハーネスＷ／Ｈの長手方向に沿って水平方向に互い違いに突出した電線保持用リブ２７，２８，２８が、前記ワイヤハーネスＷ／Ｈを適当に屈曲させた状態で蛇行状に挟持することで、弱い挟圧状態であっても十分な保持力を得ることができる。
従って、本第２実施形態のコルゲートチューブ用クリップ２１は、上記第１実施形態のコルゲートチューブ用クリップ１と同様の作用効果を有する。
【００３８】
更に、本第２実施形態のコルゲートチューブ用クリップ２１は、クリップ本体２３と蓋体２２の開閉端を閉じる際、前記電線保持用リブ２７の先端テーパ部２７ａが、並列させられた状態のワイヤハーネスＷ／Ｈの各電線１５を順次、側方から押圧するようにして屈曲させるながら該ワイヤハーネスＷ／Ｈを蛇行状に挟持することができる。
【００３９】
そこで、本第２実施形態のコルゲートチューブ用クリップ２１によれば、複数の電線１５を同時に上方から押圧するようにして屈曲させる上記第１実施形態のコルゲートチューブ用クリップ１に比べて、蓋体２２を閉じる際の力が小さくて済むという利点もある。
【００４０】
図７乃至図１０は本発明の第３実施形態に係るコルゲートチューブ用クリップの使用状態を説明する為の斜視図及び縦断面図である。
本第３実施形態のコルゲートチューブ用クリップ６１は、図７に示したように、コルゲートチューブ３０の端部外周面を嵌合挟持するチューブ固定部６６と、チューブ端部より露出するワイヤハーネスＷ／Ｈの電線１５を一列に並列させた状態で屈曲挟持する電線保持部６９とが、相互にヒンジ７２を介して開閉自在に連結されたクリップ本体６３と蓋体６２とで合成樹脂材料より一体形成されている。
【００４１】
前記チューブ固定部６６は、前記コルゲートチューブ３０の外周面に連続形成された突条部３３と突条部３３の間の谷環部３２に嵌合するべく、前記クリップ本体６３の一方の側部内壁に突設された嵌合突起である円弧状の嵌合リブ６５と、前記蓋体２の一方の側部内壁に突設された嵌合突起である円弧状の嵌合リブ６４とから成る（図１０、参照）。尚、本実施形態においては、クリップ本体６３及び蓋体６２の両内壁に嵌合突起を突設したが、該嵌合突起は少なくとも一方の内壁面に突設するだけでも十分な機能を果たすことはできる。
【００４２】
前記電線保持部６９は、図１０に示したように、前記ワイヤハーネスＷ／Ｈを屈曲させた状態で蛇行状に挟持するべく、前記クリップ本体６３及び前記蓋体６２の各内壁面に前記ワイヤハーネスＷ／Ｈの長手方向に沿って互い違いに突設された複数の電線保持用リブ６７，６８から成る。
即ち、前記蓋体６２の他方の側部内壁（天壁）に突設された一対の電線保持用リブ６７，６７は、挟持固定される前記ワイヤハーネスＷ／Ｈの長手方向に沿って形成されており、このため蓋体６２はワイヤハーネスＷ／Ｈの長手方向に沿って凹形の縦断面形状を有するようになっている（図１０、参照）。
【００４３】
又、前記クリップ本体６３の他方の側部内壁（底壁）には、前記電線保持用リブ６７，６７と上下方向に互い違いとなる位置に前記電線保持用リブ６８が突設されており、このためクリップ本体６３はワイヤハーネスＷ／Ｈの長手方向に沿って凸形の縦断面形状を有するようになっている（図１０、参照）。
そこで、前記クリップ本体６３と前記蓋体６２の対向面に設けられた前記電線保持部６９は、図１０に示したように、ワイヤハーネスＷ／Ｈの長手方向に沿って上下方向から互い違いに突出した電線保持用リブ６７，６８，６８が、前記ワイヤハーネスＷ／Ｈを適当に屈曲させた状態で蛇行状に挟持することで、弱い挟圧状態であっても十分な保持力を得ることができる。
【００４４】
更に、これら蓋体６２とクリップ本体６３の開閉端には、これら蓋体６２及びクリップ本体６３相互を閉じたロック状態に係止可能なロック手段である係止突片７０とロック孔７１を有する。前記蓋体６２の開閉端側の前壁に突設された前記係止片７０は、図９に示したように、前記クリップ本体６３の開閉端縁に穿設された前記ロック孔７１に係合されることにより、クリップ本体６３と蓋体６２を閉じたロック状態に係止することができる。
【００４５】
更に、前記嵌合リブ６４及び前記嵌合リム６５に隣接する前記クリップ本体６３及び前記蓋体６２には、前記チューブ固定部６６に嵌合挟持された前記コルゲートチューブ３０の端部外周面（突条部３３の外周面）との干渉を避けるための開口７３，７４がそれぞれ設けられており、図９に示したように、閉じたロック状態のクリップ本体６２及び蓋体６３の高さ寸法Ｈが、前記コルゲートチューブ３０の外径Ｄと略等しく形成されている。
【００４６】
次に、図８乃至図１０を参照して、本第３実施形態のコルゲートチューブ用クリップ６１の取付手順及び作用について説明する。
先ず、コルゲートチューブ用クリップ６１は、図８に示したように、蓋体６２を開いた状態にして、ワイヤハーネスＷ／Ｈを挿通したコルゲートチューブ３０の端部をクリップ本体６３の一方の側部上に載置する。
【００４７】
この際、前記クリップ本体６３の嵌合リブ６５が、コルゲートチューブ３０の図中下面側の谷環部３２に嵌合する。また、コルゲートチューブ３０のチューブ端部より露出する前記ワイヤハーネスＷ／Ｈの電線１５が、一列に水平に並列させられた状態で前記電線保持用リブ６８上に配置される。
【００４８】
そして、前記嵌合リブ６４がコルゲートチューブ３０の図中上面側の谷環部３２に嵌合すると共に、一対の前記電線保持用リブ６７，６７が一列に並列させられた状態のワイヤハーネスＷ／Ｈの電線１５を上方から押圧するようにして、前記蓋体６２を被せた後、図９に示したように、前記ロック孔７１に前記ロック片７０を係合させてクリップ本体６３と蓋体６２を閉じたロック状態に係止する。
【００４９】
これにより、前記クリップ本体６３及び前記蓋体６２の両内壁にそれぞれ突設された嵌合リブ６４，６５から成るチューブ固定部６６が、図１０に示したように、前記コルゲートチューブ３０の外周面に連続形成された突条部３３と突条部３３の間の谷環部３２に嵌合することよって、軸線方向に沿って位置ズレを生じることなくコルゲートチューブ３０を強固に嵌合挟持できる。
【００５０】
また、前記クリップ本体６３及び前記蓋体６２の各内壁面に突設された複数の電線保持用リブ６７，６８から成る電線保持部６９が、図１０に示したように、前記ワイヤハーネスＷ／Ｈを上下に屈曲させた状態で蛇行状に確実に挟持できる。
即ち、前記コルゲートチューブ用クリップ６１が、前記チューブ固定部６６によりコルゲートチューブ３０に対して位置決め固定されると共に、前記電線保持部６９によりワイヤハーネスＷ／Ｈに対して位置決め固定されることにより、該コルゲートチューブ３０がワイヤハーネスＷ／Ｈ上の所定位置に確実に位置決め固定される。
従って、本第３実施形態のコルゲートチューブ用クリップ６１は、上記第１実施形態のコルゲートチューブ用クリップ１と同様の作用効果を有する。
【００５１】
更に、本第３実施形態のコルゲートチューブ用クリップ６１は、前記クリップ本体６３及び前記蓋体６２に、前記コルゲートチューブ３０の端部外周面（突条部３３の外周面）との干渉を避けるための開口７３，７４がそれぞれ設けられており、閉じたロック状態のクリップ本体６２及び蓋体６３の高さ寸法Ｈが、前記コルゲートチューブ３０の外径Ｄと略等しく形成されている。
そこで、コルゲートチューブ用クリップ６１は、高さ寸法を前記クリップ本体６３及び前記蓋体６２の各内壁の厚み分だけ低くでき、上記第１実施形態のコルゲートチューブ用クリップ１よりも小型化が可能となる。
【００５２】
また、クリップ本体６３と蓋体６２を閉じたロック状態とした後も、前記開口７３，７４から、前記チューブ固定部６６に嵌合挟持された前記コルゲートチューブ３０の端部外周面の位置を目視確認できる。
そこで、前記コルゲートチューブ３０の端部に対する前記チューブ固定部６６の嵌合挟持状態の確認が容易となり、該コルゲートチューブ３０の端部をチューブ固定部６６の所定位置に確実に固定できる。従って、コルゲートチューブ３０は、ワイヤハーネスＷ／Ｈ上の所定位置に確実、且つ容易に位置決め固定される。
【００５３】
なお、上述各実施形態のコルゲートチューブ用クリップでは、コルゲートチューブを電線群上の所定位置に位置決め固定できるだけであったが、例えばクリップ本体の外底面上にアンカ部を突設して、該アンカ部をパネル等の被取付体に穿設した係止穴に挿入係止させることにより、ワイヤハーネス等の電線束を挿通保持した状態のコルゲートチューブを被取付体に固着させることもできる。
【００５４】
【発明の効果】
以上述べたように、本発明のコルゲートチューブ用クリップによれば、電線群の電線を屈曲させた状態で蛇行状に挟持する電線保持部と、コルゲートチューブを嵌合挟持するチューブ固定部とが、相互にヒンジを介して開閉自在に連結されたクリップ本体と蓋体とで一体形成されているので、それぞれ電線及びコルゲートチューブを挟持した状態でこれらクリップ本体と蓋体の開閉端を閉じたロック状態とする簡単な操作だけで、電線群を挿通させたコルゲートチューブを電線群上の所定位置に位置決め固定できる。
【００５５】
そこで、人手でテープ巻きしてコルゲートチューブを所定位置に位置決め固定する場合のような手間と労力を要しない。
また、前記電線保持部は、前記電線群の電線を一列に並列させ屈曲させた状態で蛇行状に挟持するので、電線本数に関わらず電線群に対して確実に挟持固定することができ、高い汎用性を有することができる。
従って、簡単な操作でコルゲートチューブを電線群上の所定位置に位置決め固定できると共に、いずれの太さの電線群にも適用できる安価なコルゲートチューブ用クリップを提供できる。
【図面の簡単な説明】
【図１】本発明の第１実施形態に係るコルゲートチューブ用クリップの使用状態を説明する為の斜視図である。
【図２】図１に示したコルゲートチューブ用クリップの使用状態を説明する為の斜視図である。
【図３】図１に示したコルゲートチューブ用クリップの使用状態を説明する為の斜視図である。
【図４】図３に示したコルゲートチューブ用クリップの縦断面図である。
【図５】本発明の第２実施形態に係るコルゲートチューブ用クリップの斜視図である。
【図６】図５に示したコルゲートチューブ用クリップの使用状態を説明する為の水平断面図である。
【図７】本発明の第３実施形態に係るコルゲートチューブ用クリップの使用状態を説明する為の斜視図である。
【図８】図７に示したコルゲートチューブ用クリップの使用状態を説明する為の斜視図である。
【図９】図７に示したコルゲートチューブ用クリップの使用状態を説明する為の斜視図である。
【図１０】図９に示したコルゲートチューブ用クリップの縦断面図である。
【図１１】従来方法によるコルゲートチューブの端末処理部を示す斜視図である。
【図１２】従来のコルゲートチューブの端末係止具を示す説明図である。
【符号の説明】
１    コルゲートチューブ用クリップ
２    蓋体
３    クランプ本体
４    嵌合リブ（嵌合突起）
５    嵌合リブ（嵌合突起）
６    チューブ固定部
７    電線保持用リブ
８    電線保持用リブ
９    電線保持部
１０    係止突起
１１    ロック片
１５    電線
３０    コルゲートチューブ
３２    谷環部
３３    突条部
Ｗ／Ｈ  ワイヤハーネス（電線束）
【図１】
0003729399.tif 000002
【図２】
0003729399.tif 000003
【図３】
0003729399.tif 000004
【図４】
0003729399.tif 000005
【図５】
0003729399.tif 000006
【図６】
0003729399.tif 000007
【図７】
0003729399.tif 000008
【図８】
0003729399.tif 000009
【図９】
0003729399.tif 000010
【図１０】
0003729399.tif 000011
【図１１】
0003729399.tif 000012
【図１２】
0003729399.tif 000013